(57)【要約】      （修正有）【課題】たとえば子どもであっても容易に利用することができる配車システム及び配車方法を提供する。【解決手段】配車システムは、乗客の個人識別情報及び降車地の情報を乗客情報として登録し、前記乗客とは異なる者であって乗客の乗車料金を負担する者の個人識別情報及び決済情報を負担者情報として登録し、前記乗客が車両に乗車するときに、その乗客が所持する個人識別情報記録体から個人識別情報を乗車時乗客情報として取得し、取得した個人識別情報を乗客情報として登録した情報に照合して降車地の情報を取得して走行ルートを設定し、乗客が車両から降車するときに個人識別情報を再度取得し、降車した乗客の乗車料金を負担者情報として登録された情報に基づいて決済処理する。【選択図】図２
2019220068.tif 000002
【特許請求の範囲】
【請求項１】
車両に乗車する乗客の個人識別情報及び降車地の情報を登録する乗客情報登録部と、
前記乗客とは異なる者であって前記乗客の乗車料金を負担する料金負担者の個人識別情報及び決済に必要な情報を登録する負担者情報登録部と、
前記乗客が車両に乗車するときに、その乗客が所持する個人識別情報記録体に記録されている個人識別情報を取得する乗車時乗客情報取得部と、
前記乗車時乗客情報取得部で取得した個人識別情報を前記乗客情報登録部で登録した情報に照合して降車地の情報を取得し、その情報に基づいて走行ルートを設定するルート設定部と、
前記乗客が車両から降車するときに、前記個人識別情報記録体に記録されている個人識別情報を再度取得する降車時乗客情報取得部と、
前記降車時乗客情報取得部で降車する乗客の個人識別情報を取得した後、前記乗客の個人識別情報を前記乗車時乗客情報取得部で取得してから前記降車時乗客情報取得部で取得するまでの乗客の乗車料金を、前記負担者情報登録部に登録された情報に基づいて決済処理する決済部と、
を有する配車システム。
【請求項２】
請求項１に記載の配車システムにおいて、
前記乗車時乗客情報取得部は、１台の車両に同乗する複数の乗客が車両に乗車する毎に、各々の乗客が所持する個人識別情報記録体に記録される個人識別情報を順次取得し、
前記ルート設定部は、前記乗車時乗客情報取得部で取得した各乗客の個人識別情報を前記乗客情報登録部に基づいて各乗客の降車地の情報を取得し、それらの情報に基づいて走行ルートを設定し、
前記降車時乗客情報取得部は、前記各々の乗客が降車する毎に、降車する乗客が所持する個人識別情報記録体に記録されている個人識別情報を取得し、
前記決済部は、前記降車時乗客情報取得部で降車する全乗客の個人識別情報を取得した後、各乗客の個人識別情報を前記乗車時乗客情報取得部で取得してから前記降車時乗客情報取得部で取得するまでの各乗客の乗車料金を、各乗客に対応して前記負担者情報登録部に登録された情報に基づいて決済処理する、
配車システム。
【請求項３】
請求項１又は請求項２に記載の配車システムにおいて、
前記乗客情報登録部は、さらに、乗車地の情報及び乗車時間帯を登録する、
配車システム。
【請求項４】
請求項１から請求項３までのいずれか１項に記載の配車システムにおいて、
前記乗客情報登録部は、さらに、車両に乗車する乗客が操作する端末を識別する情報を登録する、
配車システム。
【請求項５】
請求項１から請求項４までのいずれか１項に記載の配車システムにおいて、
前記個人識別情報記録体は、カード状の部材であり、前記個人識別情報がプリント又は電子的に記録されている、
配車システム。
【請求項６】
請求項１から請求項４までのいずれか１項に記載の配車システムにおいて、
前記個人識別情報記録体は、前記車両に乗車する乗客が所持する端末であり、前記乗客がその端末を操作することで、前記個人識別情報が表示される、
配車システム。
【請求項７】
請求項１から請求項６までのいずれか１項に記載の配車システムにおいて、
前記ルート設定部で設定した走行ルートを、前記料金負担者の端末に表示するルート表示部を有する配車システム。
【請求項８】
請求項７に記載の配車システムにおいて、
前記走行ルートに重ねて走行中の前記車両の現在地を前記料金負担者の端末に表示する車両位置表示部を有する配車システム。
【請求項９】
車両に乗車する乗客の個人識別情報及び降車地の情報を登録する乗客情報登録工程と、
前記乗客とは異なる者であって前記乗客の乗車料金を負担する料金負担者の個人識別情報及び決済に必要な情報を登録する負担者情報登録工程と、
前記乗客が車両に乗車するときに、その乗客が所持する個人識別情報記録体に記録されている個人識別情報を取得する乗車時乗客情報取得工程と、
前記乗車時乗客情報取得工程で取得した個人識別情報を前記乗客情報登録工程で登録した情報に照合して降車地の情報を取得し、その情報に基づいて走行ルートを設定するルート設定工程と、
前記乗客が車両から降車するときに、前記個人識別情報記録体に記録されている個人識別情報を再度取得する降車時乗客情報取得工程と、
前記降車時乗客情報取得工程で降車する乗客の個人識別情報を取得した後、前記乗客の個人識別情報を前記乗車時乗客情報取得工程で取得してから前記降車時乗客情報取得工程で取得するまでの乗客の乗車料金を、前記負担者情報登録工程に登録された情報に基づいて決済処理する決済工程と、
を有する配車方法。
【発明の詳細な説明】
【技術分野】
【０００１】
この発明は、配車システム及び配車方法に関する。
【背景技術】
【０００２】
特許文献１に開示されているように、タクシーの呼び出しに使用するタクシー配車アプリが普及しはじめている。
【先行技術文献】
【特許文献】
【０００３】
【特許文献１】特開２０１７−２０４０４２号公報
【発明の概要】
【発明が解決しようとする課題】
【０００４】
しかしながら、一般的な配車アプリでは子ども等が使用するのは困難であった。
【０００５】
本発明は、このような従来の問題点に着目してなされた。本発明の目的は、たとえば子どもであっても容易に利用することができる配車システム及び配車方法を提供することである。
【課題を解決するための手段】
【０００６】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【０００７】
第１の態様は、車両に乗車する乗客の個人識別情報及び降車地の情報を登録する乗客情報登録部（Ｓ１１２）と、前記乗客とは異なる者であって前記乗客の乗車料金を負担する料金負担者の個人識別情報及び決済に必要な情報を登録する負担者情報登録部（Ｓ１１１）と、前記乗客が車両に乗車するときに、その乗客が所持する個人識別情報記録体（５０，５５）に記録されている個人識別情報を取得する乗車時乗客情報取得部（Ｓ６３１）と、前記乗車時乗客情報取得部（Ｓ６３１）で取得した個人識別情報を前記乗客情報登録部（Ｓ１１２）で登録した情報に照合して降車地の情報を取得し、その情報に基づいて走行ルートを設定するルート設定部（Ｓ６３４）と、前記乗客が車両から降車するときに、前記個人識別情報記録体（５０，５５）に記録されている個人識別情報を再度取得する降車時乗客情報取得部（Ｓ６５１）と、前記降車時乗客情報取得部（Ｓ６５１）で降車する乗客の個人識別情報を取得した後、前記乗客の個人識別情報を前記乗車時乗客情報取得部（Ｓ６３１）で取得してから前記降車時乗客情報取得部（Ｓ６５１）で取得するまでの乗客の乗車料金を、前記負担者情報登録部（Ｓ１１１）に登録された情報に基づいて決済処理する決済部（Ｓ１５３）とを有する配車システムである。
【０００８】
第２の態様は、第１の態様において、前記乗車時乗客情報取得部（Ｓ６３１）は、１台の車両に同乗する複数の乗客が車両に乗車する毎に、各々の乗客が所持する個人識別情報記録体（５０，５５）に記録される個人識別情報を順次取得し、前記ルート設定部（Ｓ６３４）は、前記乗車時乗客情報取得部（Ｓ６３１）で取得した各乗客の個人識別情報を前記乗客情報登録部（Ｓ１１２）に基づいて各乗客の降車地の情報を取得し、それらの情報に基づいて走行ルートを設定し、前記降車時乗客情報取得部（Ｓ６５１）は、前記各々の乗客が降車する毎に、降車する乗客が所持する個人識別情報記録体（５０，５５）に記録されている個人識別情報を取得し、前記決済部（Ｓ１５３）は、前記降車時乗客情報取得部（Ｓ６５１）で降車する全乗客の個人識別情報を取得した後、各乗客の個人識別情報を前記乗車時乗客情報取得部（Ｓ６３１）で取得してから前記降車時乗客情報取得部（Ｓ６５１）で取得するまでの各乗客の乗車料金を、各乗客に対応して前記負担者情報登録部（Ｓ１１１）に登録された情報に基づいて決済処理する、配車システムである。
【０００９】
第３の態様は、第１又は第２の態様において、前記乗客情報登録部（Ｓ１１２）は、さらに、乗車地の情報及び乗車時間帯を登録する、配車システムである。
【００１０】
第４の態様は、第１から第３までのいずれかの態様において、前記乗客情報登録部（Ｓ１１２）は、さらに、車両に乗車する乗客が操作する端末を識別する情報を登録する、配車システムである。
【００１１】
第５の態様は、第１から第４までのいずれかの態様において、前記個人識別情報記録体（５５）は、カード状の部材であり、前記個人識別情報がプリント又は電子的に記録されている、配車システムである。
【００１２】
第６の態様は、第１から第４までのいずれかの態様において、前記個人識別情報記録体（５０）は、前記車両に乗車する乗客が所持する端末であり、前記乗客がその端末を操作することで、前記個人識別情報が表示される、配車システムである。
【００１３】
第７の態様は、第１から第６までのいずれかの態様において、前記ルート設定部（Ｓ６３４）で設定した走行ルートを、前記料金負担者の端末に表示するルート表示部（Ｓ４３１）を有する配車システムである。
【００１４】
第８の態様は、第７の態様において、前記走行ルートに重ねて走行中の前記車両の現在地を前記料金負担者の端末に表示する車両位置表示部（Ｓ４４１）を有する配車システムである。
【００１５】
第９の態様は、車両に乗車する乗客の個人識別情報及び降車地の情報を登録する乗客情報登録工程（Ｓ１１２）と、前記乗客とは異なる者であって前記乗客の乗車料金を負担する料金負担者の個人識別情報及び決済に必要な情報を登録する負担者情報登録工程（Ｓ１１１）と、前記乗客が車両に乗車するときに、その乗客が所持する個人識別情報記録体（５０，５５）に記録されている個人識別情報を取得する乗車時乗客情報取得工程（Ｓ６３１）と、前記乗車時乗客情報取得工程（Ｓ６３１）で取得した個人識別情報を前記乗客情報登録工程（Ｓ１１２）で登録した情報に照合して降車地の情報を取得し、その情報に基づいて走行ルートを設定するルート設定工程（Ｓ６３４）と、前記乗客が車両から降車するときに、前記個人識別情報記録体（５０，５５）に記録されている個人識別情報を再度取得する降車時乗客情報取得工程（Ｓ６５１）と、前記降車時乗客情報取得工程（Ｓ６５１）で降車する乗客の個人識別情報を取得した後、前記乗客の個人識別情報を前記乗車時乗客情報取得工程（Ｓ６３１）で取得してから前記降車時乗客情報取得工程（Ｓ６５１）で取得するまでの乗客の乗車料金を、前記負担者情報登録工程（Ｓ１１１）に登録された情報に基づいて決済処理する決済工程（Ｓ１５３）とを有する配車方法である。
【発明の効果】
【００１６】
この態様によれば、たとえば子どもであっても、配車を依頼して車両に乗車することを容易に行うことができる。
【図面の簡単な説明】
【００１７】
【図１】図１は、本発明に係る配車システムの概要について説明する図である。
【図２】図２は、ユーザー情報登録処理を示すフローチャートである。
【図３】図３は、配車処理を示すフローチャートである。
【図４】図４は、乗車処理を示すフローチャートである。
【図５】図５は、走行中処理を示すフローチャートである。
【図６】図６は、降車処理を示すフローチャートである。
【図７】図７は、保護者端末４０における走行ルート表示の一例を示す図である。
【図８】図８は、乗降スケジュールの一例を示す図である。
【図９】図９は、保護者端末４０における走行ルート表示の一例を示す図である。
【図１０】図１０は、第２実施形態のユーザー情報登録処理を示すフローチャートである。
【図１１】図１１は、ユーザーコードの生成処理を示すフローチャートである。
【図１２】図１２は、第３実施形態の配車処理を示すフローチャートである。
【発明を実施するための形態】
【００１８】
以下、添付図面を参照しながら本発明の実施形態について説明する。
【００１９】
（第１実施形態）
図１は、本発明に係る配車システムの概要について説明する図である。
【００２０】
はじめに、図１を参照して配車システムの概要について説明する。
【００２１】
図１に示すように、配車システム１は、システム管理サーバー１０と、システム管理端末３０と、保護者端末４０と、子ども端末５０と、ユーザーカード５５と、車載端末６０とを含む。システム管理端末３０、保護者端末４０、子ども端末５０及び車載端末６０は、ネットワーク２０によってシステム管理サーバー１０に接続され、通信プロトコル（たとえば、ＴＣＰ／ＩＰ）を介してデータを送受信可能である。なお、ネットワーク２０は、たとえば、インターネット、専用通信回線（たとえばＣＡＴＶ（Community Antenna Television）回線）、移動体通信網（基地局等を含む）、ゲートウェイ等によって構築されている。
【００２２】
システム管理端末３０は、配車システム１の管理者が操作する機器である。システム管理端末３０は、パーソナルコンピューターが好適であるが、タブレット端末などであってもよい。
【００２３】
保護者端末４０は、配車システム１を利用する子どもの保護者が操作する機器である。保護者端末４０としては、たとえば、スマートフォン・タブレット端末などを例示することができるが、パーソナルコンピューターなどであってもよい。
【００２４】
子ども端末５０は、配車システム１を利用する子どもが所持し、操作する機器である。子ども端末５０としては、たとえば、通話及びショートメッセージサービス（Short Message Service：以下適宜「ＳＭＳ」と称す）を利用できるがウェブサイトを閲覧することはできないフィーチャーホンを例示できる。子ども向けのフィーチャーホンとして、いわゆるキッズ携帯が広く普及している。またウェブサイトの閲覧も可能なスマートフォンであってもよい。
【００２５】
ユーザーカード５５は、一意（unique）のコードが振られており、配車システム１を利用するそれぞれの子どもが所持するカードである。子どもが乗車又は降車したときに、このコードを車載端末６０に読み取らせる。このカードは、紙製又はプラスチック製の専用のカードを例示できる。しかしながら、このカードは、一意（unique）のコードが振られていれば足りるので、現在広く普及している交通系ＩＣカードや電子マネーＩＣカードなどを流用してもよい。
【００２６】
車載端末６０は、配車システム１の車両に搭載されている機器である。車両が運転手によって運転される有人タイプであれば、運転手がこの車載端末６０を所持しており、車載端末６０としては、たとえば、スマートフォン・タブレット端末などを例示することができる。また乗客のユーザーカード５５を読み取る機能を果たす専用装置が追加されてもよい。さらに車両が無人の自動運転タイプであれば、車載端末６０の機能のうち、乗客のユーザーカード５５を読み取る機能を果たす装置が乗客の分かりやすい場所に設置されている。
【００２７】
続いて、ネットワークシステム１の具体的なロジックについて、フローチャートを参照して説明する。
【００２８】
図２は、ユーザー情報登録処理を示すフローチャートである。この処理は、配車システム１を利用する子どもの保護者が保護者端末４０を操作して行う。保護者端末４０がスマートフォンであれば、そのスマートフォンにインストールされているアプリケーションプログラム（以下適宜「アプリ」と称す）を起動することで表示されたユーザー情報登録ボタンを押すことで開始される。
【００２９】
ステップＳ４１１において、保護者端末４０は、保護者情報の登録画面を表示する。保護者端末４０の操作者が、保護者の氏名，ログインＩＤ，ログインパスワード，決済情報（クレジットカード情報など）を入力する。ログインＩＤとしては携帯電話番号を使用するとよいが、電子メールアドレスなどを使用してもよい。また入力項目としては、これらに限られず、任意の情報を追加可能である。各項目の入力後に操作者が、画面に表示されている登録ボタンを押したら、保護者端末４０は、その情報をシステム管理サーバー１０に送信する。
【００３０】
保護者端末４０からの情報を受信して、ステップＳ１１１において、システム管理サーバー１０は、保護者情報を登録保存する。
【００３１】
ステップＳ４１２において、保護者端末４０は、子ども情報の登録画面を表示する。保護者端末４０の操作者が、子どもの氏名，携帯電話番号，ユーザーカード情報（個人識別情報），降車地などを入力する。必要であれば、乗車地も入力する。さらに必要であれば、子どもの性別や背恰好などの特徴も入力する。またこれらに限られず、任意の情報を入力項目として追加可能である。
【００３２】
小学校高学年の学童であれば、学習塾から自宅に帰るときにこのシステムを使用することが想定される。このような場合は、降車地として自宅を登録しておく。また小学校低学年の学童であれば、小学校から学童クラブやスイミングスクールへ行ったり、学童クラブやスイミングスクールから自宅へ帰るときなどにこのシステムを使用することが想定される。また未就学児であれば、保育園からスイミングスクールへ行って自宅や保育園に帰るときなどにこのシステムを使用することが想定される。このような場合は、乗降スケジュールを登録しておく。乗降スケジュールの登録については後述する。各項目の入力後に操作者が、画面に表示されている登録ボタンをタップしたら、保護者端末４０は、その情報をシステム管理サーバー１０に送信する。
【００３３】
保護者端末４０からの情報を受信して、ステップＳ１１２において、システム管理サーバー１０は、子ども情報を登録保存する。
【００３４】
図３は、配車処理を示すフローチャートである。この処理は、配車システム１を利用する子どもが子ども端末５０を操作することで開始される。
【００３５】
ステップＳ５２１において、子ども端末５０の操作者が配車を依頼する。子ども端末５０がフィーチャーホンであれば、配車システム１の管理者に直接電話すればよい。子ども端末５０がスマートフォンであれば、アプリを起動して画面に表示された配車依頼ボタンをタップしてもよい。なおシステム管理サーバー１０には、子どもの携帯電話番号が登録されているので、電話をかけるだけで、子どもを特定できる。また携帯電話に内蔵されているＧＰＳ（Global Positioning System）による位置情報を利用すれば、子どもの居場所を特定できる。
【００３６】
子ども端末５０からの依頼を受けて、ステップＳ１２１において、システム管理サーバー１０は、依頼者の近くの車両に、依頼があったことを通知する。
【００３７】
システム管理サーバー１０からの通知を受信して、ステップＳ６２１において、車載端末６０は、受諾可否画面を表示する。運転手が受諾ボタンをタップしたら、車載端末６０は、その情報をシステム管理サーバー１０に送信する。
【００３８】
車載端末６０からの情報を受信して、ステップＳ１２２において、システム管理サーバー１０は、迎車車両を決定し、車両のナンバー・色などの車両情報を記録するとともに、その情報を子ども端末５０に送信する。なおシステム管理サーバー１０は、以下に説明する処理においても、処理内容を随時記憶しておくことが望ましい。何らかの事故が生じたときに役立つからである。ただし、随時記憶するには、システム管理サーバー１０に高い能力が必要とされる。そこで、システム管理サーバー１０の能力に応じて、適宜記憶するようにしてもよい。また子ども端末５０がフィーチャーホンであれば、車両のナンバー，色などをＳＭＳで送信すればよい。さらに運転手の氏名や電話番号などの情報を送信してもよい。子ども端末５０がスマートフォンであれば、さらに加えて運転手の顔写真や車両の写真などを送信してもよい。
【００３９】
システム管理サーバー１０からの通知を受信して、ステップＳ５２２において、子ども端末５０は、車両のナンバー，色などを表示する。子ども端末５０がスマートフォンであれば、さらに運転手の顔写真や車両の写真などを表示してもよい。
【００４０】
図４は、乗車処理を示すフローチャートである。この処理は、車載端末６０が配車システム１を利用する子どもが所持するユーザーカード５５の情報を読み取ることで開始される。
【００４１】
ステップＳ６３１において、車載端末６０は、ユーザーカード５５の情報を読み取る。
【００４２】
ステップＳ６３２において、車載端末６０は、同乗するすべての子ども達のユーザーカード５５の情報を読み取ったか否かを判定する。具体的には、車載端末６０の画面に表示している読取完了ボタンがタップされたか否かで判定する。読取完了ボタンは、有人車両であれば運転手がタップし、無人車両であれば乗車する子どもがタップすればよい。車載端末６０は、判定結果が否のあいだはステップＳ６３１に処理を戻し、判定結果が肯になったらステップＳ６３３に処理を移行する。
【００４３】
ステップＳ６３３において、車載端末６０は、同乗するすべての子ども達を確定し、その情報をシステム管理サーバー１０に送信する。
【００４４】
車載端末６０からの情報を受信して、ステップＳ１３１において、システム管理サーバー１０は、乗車した子ども達の降車地の情報を車載端末６０に送信する。
【００４５】
システム管理サーバー１０からの情報を受信して、ステップＳ６３４において、車載端末６０は、走行ルートを決定し、その情報をシステム管理サーバー１０に送信する。なお走行ルートを、ステップＳ１３１においてシステム管理サーバー１０で行って、その情報を車載端末６０に送信してもよいが、車載端末６０で行えば、現在の車両付近の渋滞情報等も加味できるので、より望ましい。
【００４６】
車載端末６０からの情報を受信して、ステップＳ１３２において、システム管理サーバー１０は、乗車地や乗車時刻，同乗者，走行ルート等の乗車情報を保護者端末４０に送信する。なお保護者端末４０は、同乗するすべての子ども達の保護者の端末であり、子ども達が２人で同乗するのであれば、保護者端末４０は２台である。車両がミニバンタイプであれば、４〜５名が同乗することも可能であり、このような場合は、保護者端末４０は４〜５台である。
【００４７】
システム管理サーバー１０からの情報を受信して、ステップＳ４３１において、各々の保護者端末４０は、音，振動，通知ランプ等による通知を行う。保護者が保護者端末４０を操作すれば、保護者端末４０は、乗車地，乗車時刻，同乗者，走行ルート等を表示する。あわせて到着予想時刻を表示してもよい。
【００４８】
図５は、走行中処理を示すフローチャートである。この処理は、車載端末６０がステップＳ６３４を処理して車両が走行を開始してから実行される。
【００４９】
ステップＳ６４１において、車載端末６０は、走行中の現在地の情報をシステム管理サーバー１０に送信する。
【００５０】
車載端末６０からの情報を受信して、ステップＳ１４１において、システム管理サーバー１０は、その情報を保護者端末４０に送信する。なおシステム管理サーバー１０は、車載端末６０から受信した情報を記録してもよい。特に有人車両の場合は、最短ルートではなく、遠回りルートを走行するというトラブルが生じる可能性があるので、実際に走行したルートを記録しておくことで、そのようなトラブルを防止できる。
【００５１】
ステップＳ４４１において、保護者端末４０は、システム管理サーバー１０からの情報を受信する。そして、保護者による操作があれば、車両の走行ルート及び現在地を表示する。
【００５２】
図６は、降車処理を示すフローチャートである。この処理は、車載端末６０がステップＳ６４１を処理した後、再び、ユーザーカード５５の情報を読み取ることで開始される。
【００５３】
ステップＳ６５１において、車載端末６０は、降車する子どものユーザーカード５５の情報を読み取り、その情報とともに降車する子どもの乗車距離をシステム管理サーバー１０に送信する。
【００５４】
車載端末６０からの情報を受信して、ステップＳ１５１において、システム管理サーバー１０は、降車する子どもの乗車距離情報を記録するとともに、その情報を保護者端末４０に送信する。
【００５５】
システム管理サーバー１０からの情報を受信して、ステップＳ４５１において、各々の保護者端末４０は、音，振動，通知ランプ等による通知を行う。保護者が保護者端末４０を操作すれば、保護者端末４０は、乗車距離情報を表示する。
【００５６】
ステップＳ６５２において、車載端末６０は、乗車したすべての子どものユーザーカード５５を読み取ったか否かを判定する。車載端末６０は、判定結果が否のあいだはステップＳ６５１に処理を戻し、判定結果が肯になったらステップＳ６５３に処理を移行する。
【００５７】
ステップＳ６５３において、車載端末６０は、乗車したすべての子どもが降車したことをシステム管理サーバー１０に送信する。
【００５８】
車載端末６０からの情報を受信して、ステップＳ１５２において、システム管理サーバー１０は、各人の乗車料金を計算する。なお、この計算は、乗車料金の総額を子ども達が実際に乗車した距離に応じて按分計算してもよいし、その按分計算値に対して費用負担を均すための調整を行ってもよい。また距離は考慮せずに同乗した人数で乗車料金の総額を頭割りしてもよい。システム管理サーバー１０は、計算した各人の乗車料金を、保護者端末４０に送信する。
【００５９】
システム管理サーバー１０からの情報を受信して、ステップＳ４５２において、各々の保護者端末４０は、乗車料金を表示する。
【００６０】
ステップＳ４５３において、保護者端末４０は、操作者による承認操作が行われたら、その情報をシステム管理サーバー１０に送信する。
【００６１】
保護者端末４０からの情報を受信して、ステップＳ１５３において、システム管理サーバー１０は、登録されているクレジットカードによる決済処理を実行する。
【００６２】
なお、承認（ステップＳ４５３）→決済（ステップＳ１５３）という処理が煩雑であれば、ステップＳ１５２で決済処理も実行していまい、その結果をステップＳ４５２で表示することで、承認（ステップＳ４５３）→決済（ステップＳ１５３）という処理を省略してもよい。
【００６３】
続いて、本実施形態の理解が容易になるように、実際に配車システム１を使用するシーンを想定して説明する。なおフローチャートとの対応が分かりやすくなるように、フローチャートのステップ番号を括弧内に併記する。
【００６４】
（第１実施形態の使用シーン１）
中学受験に備えて学習塾に通う小学校高学年の学童が、学習塾からの帰りに、配車システム１を使用するシーンを想定する。なおこの小学生は、フィーチャーホン（キッズ携帯）を所持している。学習塾からの帰りに、友人と一緒に自宅の最寄り駅まで電車で移動し、その駅から友人と一緒にタクシー等に乗るために配車システム１を使用する。
【００６５】
まず、事前準備として、保護者が保護者端末４０を操作して、保護者情報（保護者の氏名，ログインＩＤ（携帯電話番号など），ログインパスワード，クレジットカード情報など）を入力するとともに（Ｓ４１１）、子ども情報（子どもの氏名，携帯電話番号，ユーザーカード情報，降車地など）を入力する（Ｓ４１２）。なおこの学童は、小学校の授業が終わってから学習塾へ行く。この時間帯は、まだ明るいので、特段、タクシー等を利用する必要はない。学習塾が終わって家に帰るころには、日が暮れているので、用心のために、駅から自宅までタクシー等を利用する。したがって、降車地としては、自宅だけが登録されている。保護者端末４０に入力された情報は、システム管理サーバー１０に登録保存される（Ｓ１１１，Ｓ１１２）。
【００６６】
学習塾の帰りに、友人と一緒に自宅の最寄り駅まで電車で移動し、その駅のタクシー乗り場で友人と一緒にタクシーに乗るために配車システム１を使用する。
【００６７】
学童は、タクシーに乗車したらユーザーカード５５の情報を車載端末６０に読み取らせる（Ｓ６３１）。車載端末６０は、すべての学童のユーザーカード５５の情報の読み取りを完了したら（Ｓ６３２でＹｅｓ）、同乗するすべての子ども達を確定し、その情報をシステム管理サーバー１０に送信する（Ｓ６３３）。
【００６８】
車載端末６０からの情報を受信して、システム管理サーバー１０は、乗車した子ども達の降車地の情報を車載端末６０に送信する（Ｓ６３３）。
【００６９】
システム管理サーバー１０からの情報を受信して、車載端末６０は、走行ルートを決定し、その情報をシステム管理サーバー１０に送信する（Ｓ６３４）。
【００７０】
車載端末６０からの情報を受信して、システム管理サーバー１０は、乗車情報を保護者端末４０に送信する（Ｓ１３２）。
【００７１】
システム管理サーバー１０からの情報を受信して、各々の保護者端末４０は、情報の受信通知を行い、操作者による操作があれば、乗車時刻，同乗者，走行ルート等を表示する（Ｓ４３１）。
【００７２】
タクシーが走行中は、常に、車載端末６０は、走行中の現在地の情報をシステム管理サーバー１０に送信し（Ｓ６４１）、システム管理サーバー１０は、その情報を保護者端末４０に送信し（Ｓ１４１）、保護者端末４０は、操作者による操作があれば、車両の走行ルート及び現在地を表示する（Ｓ４４１）。なお保護者端末４０がスマートフォンであれば画面が小さいので、走行ルートを地図に表示しては見にくい。そこで、図７に示すようなルート表示にしてもよい。すなわち、「○○駅」や「△△さんの自宅」のような出発地，経由地といった場所を、通過する順番に並べるとともに、到着時刻，到着予定時刻等を表示する。そして、車両の現在地を示す。図７では、符号Ａで示した「▼」で示している。このようにしてもよい。ただし、これに限らず、地図を表示してもよい。たとえば゛図７に示した画面に「地図で表示」というボタンを設けておき、このボタンをタップしたら地図表示に切り替えるようにしてもよい。
【００７３】
各学童が自宅に到着して降車するごとに、車載端末６０は、降車する子どものユーザーカード５５の情報を読み取り、その情報とともに降車する子どもの乗車距離をシステム管理サーバー１０に送信する（Ｓ６５１）。
【００７４】
車載端末６０からの情報を受信して、システム管理サーバー１０は、降車する子どもの乗車距離情報を記録するとともに、その情報を保護者端末４０に送信する（Ｓ１５１）。
【００７５】
システム管理サーバー１０からの情報を受信して、保護者端末４０は、情報の受信通知を行い、操作者による操作があれば、乗車距離情報を表示する（Ｓ４５１）。なおこの受信通知によって、保護者は、子どもが降車したことを把握できる。
【００７６】
車載端末６０は、乗車したすべての子どものユーザーカード５５を読み取ったら（Ｓ６５２でＹｅｓ）、すべての子どもが降車したことをシステム管理サーバー１０に送信する（Ｓ６５３）。
【００７７】
車載端末６０からの情報を受信して、システム管理サーバー１０は、各人の乗車料金を計算する（Ｓ１５２）。
【００７８】
システム管理サーバー１０からの情報を受信して、各々の保護者端末４０は、乗車料金を表示し（Ｓ４５２）、操作者による承認操作が行われたら、その情報をシステム管理サーバー１０に送信する（Ｓ４５３）。
【００７９】
保護者端末４０からの情報を受信して、システム管理サーバー１０は、決済処理を実行する（Ｓ１５３）。
【００８０】
（第１実施形態の使用シーン２）
中学受験に備えて学習塾に通う小学校高学年の学童が、学習塾からの帰りに、配車システム１を使用するシーンを想定する。なおこの小学生は、フィーチャーホン（キッズ携帯）を所持している。学習塾の授業が終了したら、学習塾の前から友人と一緒にタクシー等に乗るために配車システム１を使用する。
【００８１】
この場合、配車処理がシーン１に対して追加される。
【００８２】
塾を出た学童が子ども端末５０を使用して配車を依頼する（Ｓ５２１）。子ども端末５０がフィーチャーホンであれば、配車システム１の管理者に直接電話すればよい。子ども端末５０がスマートフォンであれば、画面に表示された配車依頼ボタンをタップすればよい。なお乗車地は、携帯電話に内蔵されているＧＰＳ（Global Positioning System）による位置情報を利用することで、子どもの居場所を特定できる。また、上述のステップＳ４１２において、乗車地を登録しておいてもよい。小学校高学年の学童であれば、電話で現在地を伝えることもできる。従って、配車依頼時に現在地を電話で伝えるようにしてもよい。
【００８３】
子ども端末５０からの依頼を受けて、システム管理サーバー１０は、依頼者の近くの車両に、依頼があったことを通知する（Ｓ１２１）。
【００８４】
システム管理サーバー１０からの通知を受信して、車載端末６０は、受諾可否画面を表示する（Ｓ６２１）。運転手が受諾ボタンをタップしたら、車載端末６０は、その情報をシステム管理サーバー１０に送信する。
【００８５】
車載端末６０からの情報を受信して、システム管理サーバー１０は、迎車車両を決定し、車両のナンバー・色などの車両情報を記録するとともに、その情報を子ども端末５０に送信する（Ｓ１２２）。
【００８６】
システム管理サーバー１０からの通知を受信して、子ども端末５０は、車両のナンバー，色などを表示する（Ｓ５２２）。
【００８７】
車両が到着し、学童がその車両に乗車したらユーザーカード５５の情報を車載端末６０に読み取らせる（Ｓ６３１）。それ以降は、シーン１と同様であるので、説明を省略する。
【００８８】
（第１実施形態の使用シーン３）
小学校低学年の学童が、小学校から学童クラブやスイミングスクールへ行ったり、学童クラブやスイミングスクールから自宅へ帰るときなどに配車システム１を使用するシーンを想定する。なおこの小学生は、フィーチャーホン（キッズ携帯）を所持している。
【００８９】
この場合は、事前準備として、保護者が保護者端末４０を操作して、保護者情報（保護者の氏名，ログインＩＤ（携帯電話番号など），ログインパスワード，クレジットカード情報など）を入力するとともに（Ｓ４１１）、子ども情報（子どもの氏名，携帯電話番号，ユーザーカード情報，乗降スケジュールなど）を入力する（Ｓ４１２）。
【００９０】
乗降スケジュールの一例としては、たとえば図８に示すように、おおまかな乗車時刻と、乗車地及び降車地とを登録しておく。なお図８は、乗降スケジュールを例示するものであるが、実際の操作画面では、操作性が高まるように、週毎の表示や日付毎（曜日毎）の表示に容易に切り替わるようにしておくとよい。そのようにしておけば、スケジュールを変更しやすくなり便利だからである。
【００９１】
たとえば月曜日の１４時過ぎに小学校の授業が終了して、小学校の正門前から友人と一緒に学童クラブに行くので、タクシー等に乗るために配車システム１を使用する。
【００９２】
この場合、小学校を出た学童が子ども端末５０を使用して配車を依頼する（Ｓ５２１）。具体的には、配車システム１の管理者に直接電話すればよい。乗車地は、上述の乗降スケジュールに登録されている乗車地により子どもの居場所を特定できるが、携帯電話に内蔵されているＧＰＳ（Global Positioning System）による位置情報を利用してもよい。また、登録されているスケジュールと異なる場所から依頼があった場合や、異なる時刻に依頼があった場合は、保護者に電話又は電子メールなどで連絡して確認し、保護者の承認があれば、ステップＳ１２１で、車両に通知するようにしてもよい。それ以降は、上述のシーン２と同様であるので、説明を省略する。
【００９３】
以上に説明した第１実施形態によれば、車両に乗車する子どもの個人識別情報（ユーザーカード情報）及び降車地の情報を登録しておくとともに、それに対応させて保護者の個人識別情報（ログインＩＤ）及び決済に必要な情報も登録しておく。そして、子どもが車両に乗車したときに、読取装置にその子どもが所持する個人識別情報記録体（ユーザーカード）をかざすなどして、個人識別情報（ユーザーカード情報）をシステムに取得させる。そして、この個人識別情報に基づいて降車地の情報を取得し、その情報に基づいて走行ルートを設定するようにした。
【００９４】
住宅地周辺では目標物が乏しく、自宅等への案内が難しいことが多い。またナビゲーション装置に住所を入力するには時間がかかる。これに対して、本実施形態では、子どもが所持する個人識別情報記録体（ユーザーカード）を車両に搭載されている読取装置にかざすだけで目的地を入力できるので、子どもであってもタクシー等を容易に利用することができる。
【００９５】
また、子どもが車両から降車するときに、その子どもが所持する個人識別情報記録体（ユーザーカード）に記録されている個人識別情報（ユーザーカード情報）を取得するようにした。そして、子どもが車両から降車した後、子どもの乗車料金を保護者の決済情報に基づいて決済処理するようにした。このようにしたので、子どもが高額な金銭を所持することなく、タクシー等を容易に利用することができる。
【００９６】
さらに、１台の車両に複数の子どもが同乗するときは、それぞれの子どもが所持する個人識別情報記録体（ユーザーカード）から個人識別情報を取得して、各人の降車地の情報を取得し、それらの情報に基づいて走行ルートを設定するようにした。上述のように、ナビゲーション装置にいちいち住所を入力しては、時間がかかってしまうが、本実施形態であれば、走行ルートの設定が非常に容易である。
【００９７】
さらにまた、１台の車両に複数の子どもが同乗するときは、各人の乗車距離などを考慮して、各人毎に乗車料金を設定することができる。また距離は考慮せずに同乗した人数で乗車料金の総額を頭割りしてもよい。このようにすることで、保護者の不公平感が生じにくい。
【００９８】
また、子どもが操作する端末（キッズ携帯）を識別する情報（携帯電話番号）を登録しておくことで、子どもが配車依頼の電話をかけるだけで、その子どもを特定でき、迎車が容易である。
【００９９】
個人識別情報記録体（ユーザーカード）として、個人識別情報（ユーザーカード情報）をプリントした紙製又はプラスチック製の専用のカードを使用すれば、万一、個人識別情報記録体（ユーザーカード）を紛失しても再発行が容易である。また個人識別情報記録体（ユーザーカード）として、現在広く普及している交通系ＩＣカードや電子マネーＩＣカードなどを流用すれば、新たなカードを作成する必要がない。
【０１００】
さらに走行ルートや現在地，到着予定時刻などが表示されるので、子どもの帰宅予定が分かり、保護者が高い安心感を得ることができる。
【０１０１】
車両が有人タイプの場合は、最短ルートではなく、遠回りルートを走行するといったトラブルが発生する可能性も否定できないが、システム管理サーバー１０で、実際に走行したルートを記録しておけば、そのようなトラブルを防止できる。
【０１０２】
また子どもの降車地の情報だけでなく、乗車地の情報や乗車時間帯も登録しておくことで、未就学児や小学校低学年の児童も、容易に利用することができる。なお、乗車時間帯ではなく乗車時刻を登録しておき、子どもによる配車依頼にかかわらず登録された時刻に乗車地に迎車に行くようにしてもよい。そして、この場合において、図８のような乗車スケジュールの具体的な表示画面では、週毎表示・日付毎表示・曜日毎表示などが容易に切り替わるようにしておくことで、乗車時刻を修正しやすくなるので、好ましい。そして、乗車時刻が決まっているのであれば、図９に示すようなルート表示においては、乗車予定時刻と、実際に乗車した時刻（記録時刻）とを表示するようにしてもよい。そして、図９に示すように「地図で表示」というボタンを設けておき、このボタンをタップしたら地図表示に切り替えるようにしてもよい。また「タクシー会社に連絡」というボタンを設けておけば、車両が不審な走行をした場合などに、すぐにタクシー会社に連絡することができるようになり、保護者の安心感を高めることができる。
【０１０３】
（第２実施形態）
この第２実施形態では、子どももスマートフォンを使用し、ユーザーカード５５に相当する情報がスマートフォンで生成される。このような場合は、以下のようになる。
【０１０４】
図１０は、第２実施形態のユーザー情報登録処理を示すフローチャートである。この処理は、配車システム１を利用する子どもの保護者が保護者端末４０を操作して行う。保護者端末４０がスマートフォンであれば、そのスマートフォンにインストールされているアプリケーションプログラムを起動することで表示されたユーザー情報登録ボタンを押すことで開始される。
【０１０５】
ステップＳ４１１において、保護者端末４０は、保護者情報の登録画面を表示する。保護者端末４０の操作者が、保護者の氏名，ログインＩＤ，ログインパスワード，決済情報（クレジットカード情報など）を入力する。ログインＩＤとしては携帯電話番号を使用するとよいが、電子メールアドレスなどを使用してもよい。また入力項目としては、これらに限られず、任意の情報を追加可能である。各項目の入力後に操作者が、画面に表示されている登録ボタンを押したら、保護者端末４０は、その情報をシステム管理サーバー１０に送信する。
【０１０６】
保護者端末４０からの情報を受信して、ステップＳ１１１において、システム管理サーバー１０は、保護者情報を登録保存する。
【０１０７】
ステップＳ４１２において、保護者端末４０は、子ども情報の登録画面を表示する。保護者端末４０の操作者が、子どもの氏名，ログインＩＤ，ログインパスワード，降車地などを入力する。ログインＩＤとしては携帯電話番号を使用するとよいが、電子メールアドレスなどを使用してもよい。また必要であれば、乗車地も入力する。さらにこれらに限られず、任意の情報を入力項目として追加可能である。各項目の入力後に操作者が、画面に表示されている登録ボタンを押したら、保護者端末４０は、その情報をシステム管理サーバー１０に送信する。
【０１０８】
保護者端末４０からの情報を受信して、ステップＳ１１２において、システム管理サーバー１０は、子ども情報を登録保存する。
【０１０９】
図１１は、ユーザーコードの生成処理を示すフローチャートである。この処理は、配車システム１を利用する子どもがスマートフォン（子ども端末５０）を操作してはじめてログインしたときに開始される。
【０１１０】
ステップＳ５６１において、子ども端末５０は、初回ログイン画面を表示する。子ども端末５０の操作者が、ログインＩＤ，ログインパスワードなどを入力する。
【０１１１】
ステップＳ５６２において、子ども端末５０は、ユーザーコードを生成し、その情報を子ども端末４０で登録保存するとともに、システム管理サーバー１０に送信する。
【０１１２】
子ども端末５０からの情報を受信して、ステップＳ１６１において、システム管理サーバー１０は、登録保存してある子ども情報に対応させてユーザーコードを登録保存する。
【０１１３】
続いて、本実施形態の理解が容易になるように、実際に配車システム１を使用するシーンを想定して説明する。なおフローチャートとの対応が分かりやすくなるように、フローチャートのステップ番号を括弧内に併記する。
【０１１４】
（第２実施形態の使用シーン）
受験に備えて学習塾・予備校に通う生徒が、学習塾・予備校からの帰りに、配車システム１を使用するシーンを想定する。なおこの生徒は、スマートフォンを所持している。学習塾・予備校の授業が終了したら、学習塾・予備校の前から友人と一緒にタクシー等に乗るために配車システム１を使用する。
【０１１５】
まず、事前準備として、保護者が保護者端末４０を操作して、保護者情報（保護者の氏名，ログインＩＤ，ログインパスワード，クレジットカード情報など）を入力するとともに（Ｓ４１１）、子ども情報（子どもの氏名，ログインＩＤ，ログインパスワード，降車地など）を入力する（Ｓ４１２）。保護者端末４０に入力された情報は、システム管理サーバー１０に登録保存される（Ｓ１１１，Ｓ１１２）。
【０１１６】
続いて、子どもが子ども端末５０を操作して、初回ログイン画面でログインしたら（Ｓ５６１）、子ども端末５０はユーザーコードを生成して表示する（Ｓ５６２）。このユーザーコードは、子ども端末５０で登録保存されるとともに、システム管理サーバー１０に送信されて、システム管理サーバー１０でも登録保存される（Ｓ１６１）。
【０１１７】
その後は、第１実施形態の使用シーン１〜３と同様であり、ユーザーカード５５を提示するのに代えて、アプリを起動して表示されたユーザーコードを提示する。
【０１１８】
本実施形態によれば、ユーザーカード５５に代えて、アプリを起動して表示されるユーザーコードを利用できるので、ユーザーカード５５を出し入れする手間がかからず、またユーザーカード５５を紛失するおそれがない。
【０１１９】
なお、上記第２実施形態では、ユーザーコード５５を子ども端末５０で生成して、子ども端末５０に登録保存するとともに、システム管理サーバー１０に送信して、システム管理サーバー１０でも登録保存するようにしたが、これには限られない。ユーザーコード５５をシステム管理サーバー１０で生成して、システム管理サーバー１０に登録保存し、子ども端末５０による操作があれば子ども端末５０に送信することで、子ども端末５０に表示するようにしてもよい。
【０１２０】
（第３実施形態）
上述の第１実施形態及び第２実施形態では、子どもが自ら子ども端末５０を操作して、配車を依頼していた。しかしながら、保育園児や幼稚園児のような幼児や、小学校に入学したばかりの学童では、配車を依頼することが難しいことも想定される。そこで、この第３実施形態では、配車を依頼したい場合に、子どもは保護者に電話で連絡し、保護者が配車依頼するようにした。以下に具体的な内容を説明する。
【０１２１】
図１２は、第３実施形態の配車処理を示すフローチャートである。この処理は、配車システム１を利用する子どもが子ども端末５０を操作することで開始される。
【０１２２】
ステップＳ５２１において、子ども端末５０の操作者が保護者に電話をかけて配車を依頼する。
【０１２３】
子ども端末５０からの依頼を受けて、ステップＳ４２１において、保護者端末４０の操作者が、アプリを起動して画面に表示された配車依頼ボタンをタップするなどして、配車を依頼する。なお迎車地は、子どもが現在いる場所であるが、この場所は、子ども端末５０に内蔵されているＧＰＳによる位置情報が保護者端末４０に送信されるようにして、その情報を配車依頼情報に織り込むようにしてもよい。また保護者端末４０の操作者が、電話で子どもから場所を聞いておき、その場所を配車システム１の管理者に直接電話することで連絡してもよい。
【０１２４】
保護者端末４０からの依頼を受けて、ステップＳ１２１において、システム管理サーバー１０は、依頼者の近くの車両に、依頼があったことを通知する。
【０１２５】
システム管理サーバー１０からの通知を受信して、ステップＳ６２１において、車載端末６０は、受諾可否画面を表示する。運転手が受諾ボタンをタップしたら、車載端末６０は、その情報をシステム管理サーバー１０に送信する。
【０１２６】
車載端末６０からの情報を受信して、ステップＳ１２２において、システム管理サーバー１０は、迎車車両を決定し、車両のナンバー・色などの車両情報を記録するとともに、その情報を保護者端末４０に送信する。システム管理サーバー１０は、さらに運転手の氏名や電話番号，運転手の顔写真や車両の写真などの情報を送信してもよい。
【０１２７】
システム管理サーバー１０からの通知を受信して、ステップＳ４２２において、保護者端末４０は、車両のナンバー，色，必要であれば運転手の氏名や電話番号，運転手の顔写真や車両の写真などを表示する。
【０１２８】
ステップＳ４２３において、保護者端末４０は、操作者による承認操作が行われたら、その情報をシステム管理サーバー１０に送信する。
【０１２９】
保護者端末４０からの情報を受信して、ステップＳ１２３において、システム管理サーバー１０は、乗車した子どもの情報（たとえば性別や背恰好などの特徴）を車載端末６０に送信する。なおここで送信する情報は、ステップＳ４１２で予め入力されている。
【０１３０】
システム管理サーバー１０からの情報を受信して、ステップＳ６２２において、車載端末６０は、受信した子どもの情報を表示する。
【０１３１】
ステップＳ４２４において、保護者端末４０の操作者が子どもに電話をかけて配車される車両のナンバー，色などを連絡する。これによって、子どもは、配車される車両のナンバー，色などを把握できる。
【０１３２】
（第３実施形態の使用シーン）
子どもを保育園に預けている保護者が、自らの就業時間中であっても子どもをスイミングスクール等の習い事に通わせたい、という要望がある。また小学校に入学したばかりで、第１実施形態のように、自ら配車システム１の管理者に直接電話することが難しい場合もある。このような場合に、この第３本実施形態の配車システムを使用する。
【０１３３】
まず、事前準備として、保護者が保護者端末４０を操作して、保護者情報（保護者の氏名，ログインＩＤ（携帯電話番号など），ログインパスワード，クレジットカード情報など）を入力するとともに（Ｓ４１１）、子ども情報（子どもの氏名，子どもの性別や背恰好などの特徴，ユーザーカード情報，さらに必要であれば降車地など）を入力する（Ｓ４１２）。保護者端末４０に入力された情報は、システム管理サーバー１０に登録保存される（Ｓ１１１，Ｓ１１２）。
【０１３４】
配車を希望する子どもが、子ども端末５０を用いて保護者に電話をかけて配車を依頼する。
【０１３５】
続いて、保護者が保護者端末４０を用いて配車を依頼する（Ｓ４２１）。
【０１３６】
保護者端末４０からの依頼を受けて、システム管理サーバー１０は、依頼者の近くの車両に、依頼があったことを通知する（Ｓ１２１）。
【０１３７】
システム管理サーバー１０からの通知を受信して、車載端末６０は、受諾可否画面を表示する（Ｓ６２１）。運転手が受諾ボタンをタップしたら、車載端末６０は、その情報をシステム管理サーバー１０に送信する。
【０１３８】
車載端末６０からの情報を受信して、システム管理サーバー１０は、迎車車両を決定し、車両のナンバー・色などの車両情報を記録するとともに、その情報を保護者端末４０に送信する。
【０１３９】
システム管理サーバー１０からの通知を受信して、保護者端末４０は、車両のナンバー，色などを表示する（Ｓ４２２）。
【０１４０】
保護者端末４０は、操作者による承認操作が行われたら、その情報をシステム管理サーバー１０に送信する（Ｓ４２３）。
【０１４１】
保護者端末４０からの情報を受信して、システム管理サーバー１０は、乗車した子どもの情報（たとえば性別や背恰好などの特徴）を車載端末６０に送信する（Ｓ１２３）。
【０１４２】
システム管理サーバー１０からの情報を受信して、車載端末６０は、受信した子どもの情報を表示する（Ｓ６２２）。
【０１４３】
また保護者が子どもに電話をかけて配車される車両のナンバー，色などを連絡する（Ｓ４２４）。これによって、子どもは、配車される車両のナンバー，色などを把握できる。
【０１４４】
車両が到着し、子どもがその車両に乗車したらユーザーカード５５の情報を車載端末６０に読み取らせる（Ｓ６３１）。それ以降は、第１実施形態の使用シーン１と同様であるので、説明を省略する。
【０１４５】
本実施形態によれば、保育園児や幼稚園児のような幼児や、小学校に入学したばかりの学童でも、配車を依頼することが可能になる。
【０１４６】
以上、本発明の実施形態について説明したが、上記実施形態は本発明の適用例の一部を示したに過ぎず、本発明の技術的範囲を上記実施形態の具体的構成に限定する趣旨ではない。
【０１４７】
たとえば、保護者情報や子ども情報として登録する内容は、上記に限られない。
【０１４８】
また上記実施形態では、子どもが利用した乗車料金を保護者が負担するとしているが、これには限られない。介護の必要な親が利用した乗車料金を子どもが負担するような場合でも、本システムが好適である。
【０１４９】
さらに車両が無人の自動運転タイプであれば、ステップＳ６２１は不要である。システム管理サーバー１０で迎車車両を決定すればよい。
【０１５０】
上記実施形態は、適宜組み合わせ可能である。
【符号の説明】
【０１５１】
１  配車システム
１０  システム管理サーバー
２０  ネットワーク
３０  システム管理端末
４０  保護者端末
５０  子ども端末
５５  ユーザーカード（個人識別情報記録体）
６０  車載端末
Ｓ１１１  負担者情報登録部／負担者情報登録工程
Ｓ１１２  乗客情報登録部／乗客情報登録工程
Ｓ１５３  決済部／決済工程
Ｓ４３１  ルート表示部
Ｓ４４１  車両位置表示部
Ｓ６３１  乗車時乗客情報取得部／乗車時乗客情報取得工程
Ｓ６３４  ルート設定部／ルート設定工程
Ｓ６５１  降車時乗客情報取得部／降車時乗客情報取得工程
【図１】
2019220068.tif 000003
【図２】
2019220068.tif 000004
【図３】
2019220068.tif 000005
【図４】
2019220068.tif 000006
【図５】
2019220068.tif 000007
【図６】
2019220068.tif 000008
【図７】
2019220068.tif 000009
【図８】
2019220068.tif 000010
【図９】
2019220068.tif 000011
【図１０】
2019220068.tif 000012
【図１１】
2019220068.tif 000013
【図１２】
2019220068.tif 000014